(57)【要約】【課題】設備機器投資の合理化を可能とする多目的かつ多機能性を有するとともに、設置面積の省スペース化及び運転・保守作業の作業効率向上を可能とする濾過装置の提供を目的とする。【解決手段】水平型濾過機１は、上下方向に配設された濾過ユニット２，３と、この濾過ユニット２，３を支持するとともに上下方向及び／又は水平回動方向に移動させる移動手段５と、この移動手段５および昇降装置６の配設された架台７と、濾過ユニット２と濾過ユニット３の間に設けられた三方弁４４，４７及び接続配管４５とからなっている。【選択図】　　　図１
2004050073.tif 000002
【特許請求の範囲】
【請求項１】
流体を濾過する濾材と、この濾材を内部に保持する濾材保持部材とからなる濾過ユニットを二つ以上有する濾過装置であって、
前記濾過ユニット間を、切替弁を介して配管で接続した
ことを特徴とする濾過装置。
【請求項２】
前記濾材が、気体及び／又は液体を濾過する請求項１記載の濾過装置。
【請求項３】
前記濾材ユニットが、水平濾板型濾過器，葉状濾過器及びカートリッジ式濾過器を対象とする請求項１又は２記載の濾過装置。
【請求項４】
前記二つ以上の濾過ユニットが、一つの架台に取り付けられている請求項１〜３のいずれかに記載の濾過装置。
【請求項５】
前記濾材保持部材が、前記濾材を固定する保持板と、前記濾材を覆うカバーとからなる請求項１〜４のいずれかに記載の濾過装置。
【請求項６】
前記切替弁が三方弁であり、濾過ユニットの排出口に、前記三方弁を接続し、前記三方弁の一つのポートを、他の前記濾過ユニットの導入口に接続した請求項１〜５のいずれかに記載の濾過装置。
【請求項７】
前記濾過ユニットの導入口に三方弁を接続し、該三方弁の一つのポートを、他の前記濾過ユニットの排出口に接続された三方弁に接続した請求項６記載の濾過装置。
【請求項８】
前記濾過ユニットを一〜Ｎ段に設け、一段の濾過ユニットを一次濾過用とし、かつ、Ｎ段の濾過ユニットをＮ次濾過用の濾材とした請求項１〜７のいずれかに記載の濾過装置。
【請求項９】
前記濾過ユニットを一〜Ｎ段に設け、前記一〜Ｎ段の濾過ユニットで、それぞれ異なった流体の濾過を行う請求項１〜８のいずれかに記載の濾過装置。
【請求項１０】
最下段の前記濾過ユニットの前記保持板と濾材を除く全ての濾過ユニットを持ち上げることのできる昇降装置と、
前記カバー及び該カバーと対向する前記保持板を連接する連接部と、
前記濾過ユニットのうち前記保持板への取付けを解除された前記カバー及び該カバーより上部に位置する前記濾過ユニットの上下方向への移動をガイドするとともに、このカバーより下部に位置する前記濾過ユニットを前記濾過ユニットの積み重ねられたエリアから移動させる移動手段と、
を具備した請求項１〜９のいずれかに記載の濾過装置。
【請求項１１】
前記移動手段が、前記昇降装置によって持ち上げられない前記濾過ユニットを回動させるとともに、前記昇降装置によって持ち上げられる前記濾過ユニットをガイドする回動軸，及び，この回動軸と前記濾過ユニットを回動自在、かつ、上下方向移動自在に連結する回動アームを有することを特徴とする請求項１０記載の濾過装置。
【発明の詳細な説明】
【０００１】
【産業上の利用分野】
本発明は、複数の濾過ユニットを積み重ねることにより、多目的に使用できるともに、設置面の省スペース化を図ることの可能な濾過装置に関する。
【０００２】
【従来の技術】
従来、濾過装置は、通常、一つの濾過ユニットを搭載しており、この濾過ユニットは、多くの場合一つの機能を発揮する構成であった。
これに対し、濾過装置のなかには、濾過するほかに、濾過するとともに脱液や乾燥などを行う複合機能を有する濾過装置もあった。
【０００３】
しかしながら、上記ような複合機能を有する濾過装置であっても、一般的に、濾過装置内に一つの濾過ユニットのみを備え、濾過ユニットが、濾過の他脱液や乾燥などを行う複数の機能を有する構成であった。
すなわち、従来の濾過装置は、通常、一つの濾過ユニットを備えており、たとえば、濾過工程において、濾過ユニットが有していない異なる機能を必要とするときは、異なる機能を有する濾過ユニットを搭載した別の濾過装置を準備しなければならなかった。
【０００４】
したがって、一つの濾過ユニットしか有しない濾過装置では、たとえば、濾過ユニットの機能が異なる一次濾過（前濾過）及び二次濾過（仕上げ濾過）を行うことができず、この場合には、それぞれの機能を有する別個の一次濾過装置及び二次濾過装置を用いなければならなかった。
【０００５】
また、一つの濾過ユニットしか有しない濾過装置では、たとえば、異なる濾過ユニットを必要とする異なる二種類の流体を同時に処理することもできず、この場合にも、別個の濾過装置を二台用いなければならなかった。
なお、異種流体の濾過を同一の濾過ユニットで行うことができる場合であっても、一つの濾過ユニットを有する濾過装置は、第一の流体を濾過した後、第一の流体が第二の流体に混入しないように、濾過装置を洗浄した上で、第二の流体を濾過しなければならなかった。
【０００６】
また、従来の濾過装置では、濾過する流体の処理量の変動に対応して濾過能力（すなわち、濾過面積）を容易に増減変化させることができなかった。
このため、たとえば、濾過装置の最大処理量が標準処理量の約２倍の場合には、最大処理量を濾過する濾過面積を有する濾過ユニットは、標準処理量を処理しているとき、処理能力の約１／２しか使用していないこととなり、大きな濾材を使用し、かつ、この濾材を収納する大きな濾過ユニットを製作することは、経済性の観点から改善する必要があった。
【０００７】
ところで、濾過装置は、通常、定期的に濾材を交換する必要があることから、交換作業の作業スペースを必要とする。
つまり、濾過装置は、運転時には、濾材が保持されている保持板に相当する設置面積があればよいが、濾過ユニット内の濾材を交換する際、この保持板に着脱自在に取り付けられたカバーを取り外すために、この保持板とほぼ同じ面積を必要とするカバーの設置面積を確保する必要があった。
【０００８】
【発明が解決しようとする課題】
しかしながら、従来の濾過装置は、装置内に一つの濾過ユニットしか搭載していないために、複数の濾過ユニットを必要とする場合や、異なる二種類の流体を同時に処理する場合には、各濾過ユニットを搭載した濾過装置を個々に準備する必要があり、濾過装置の設備機器投資の合理化を図ることができないといった問題があった。
【０００９】
また、複数の濾過装置を設置する場合には、濾材を交換するための作業スペースを含めた設置面積が広くなり、省スペース化を図ることができないといった問題があった。
さらに、濾過する流体の処理量が変動する場合には、一時的な最大処理量に対して不経済な使用をしなければならないといった問題や、複数の濾過装置に対して、運転・保守作業を行わなければならないので、運転・保守作業の作業効率が低いといった問題があった。
【００１０】
本発明は、上述した従来の技術が有する問題を解決するために提案されたものであり、設備機器投資の合理化を可能とする多目的かつ多機能性を有するとともに、設置面積の省スペース化及び運転・保守作業の作業効率向上を可能とする濾過装置の提供を目的とする。
【００１１】
【課題を解決するための手段】
上記目的を達成するため、本発明の濾過装置は、流体を濾過する濾材と、この濾材を内部に保持する濾材保持部材とからなる濾過ユニットを二つ以上有する濾過装置であって、前記濾過ユニット間を、切替弁を介して配管で接続し、二つ以上の濾過ユニットを一つの架台に取り付ける構成としてあり、さらに、濾材保持部材を、濾材を固定する保持板と、濾材を覆うカバーとで構成してある。
このようにすると、複数の濾過ユニットを一つの濾過ユニットに搭載することができるので、設備機器投資の合理化を図ることができるとともに、設置面積の省スペース化を図ることができる。
【００１２】
また、本発明の濾過装置は、濾材が、気体及び／又は液体を濾過する構成としてあり、気体及び／又は液体からなる流体に対して、濾過処理を行うことができる。さらに、濾材ユニットが、水平濾板型濾過器，葉状濾過器及びカートリッジ式濾過器を対象とする構成としてあり、一般的に用いられるこれら濾過器に対応することができる。
【００１３】
また、本発明の濾過装置は、切替弁を三方弁とし、濾過ユニットの排出口にこの三方弁を接続し、三方弁の一つのポートを、他の濾過ユニットの導入口に接続した構成としてある。
このようにすると、三方弁を制御することにより、濾過ユニットにて濾過された流体を、濾過装置の外部に排出したり、あるいは、濾過装置内の他の濾過ユニットでさらに濾過することができる。
【００１４】
また、本発明の濾過装置は、濾過ユニットの導入口に三方弁を接続し、この三方弁の一つのポートを、他の濾過ユニットの排出口に接続された三方弁に接続した構成としてある。
このようにすると、濾過ユニットの導入口に設けられた三方弁を制御することにより、濾過ユニットに他の濾過ユニットにて濾過された流体を導入したり、あるいは、濾過装置の外部から流体を導入することができる。
【００１５】
また、本発明の濾過装置は、濾過ユニットを一〜Ｎ段に設け、一段の濾過ユニットを一次濾過用とし、かつ、Ｎ段の濾過ユニットをＮ次濾過用の濾材とした構成としてある。
このようにすると、流体を段階的に濾過しなければならない場合であって、一つの濾過装置で濾過することができる。
【００１６】
また、本発明の濾過装置は、濾過ユニットを一〜Ｎ段に設け、一〜Ｎ段の濾過ユニットで、それぞれ異なった流体の濾過を行う構成としてある。
このようにすると、複数の異なった流体の濾過を、一つの濾過装置で行うことができる。
【００１７】
また、本発明の濾過装置は、最下段の前記濾過ユニットの前記保持板と濾材を除く全ての濾過ユニットを持ち上げることのできる昇降装置と、前記カバー及び該カバーと対向する前記保持板を連接する連接部と、前記濾過ユニットのうち前記保持板への取付けを解除された前記カバー及び該カバーより上部に位置する前記濾過ユニットの上下方向への移動をガイドするとともに、このカバーより下部に位置する前記濾過ユニットを前記濾過ユニットの積み重ねられたエリアから移動させる移動手段と、を具備した構成としてある。
このようにすると、交換する濾材の入っている濾材保持部材のカバーと保持板との固定を解除することによって、濾材が保持された保持板を濾過ユニットの積み重ねられたエリアから移動させることができるので、容易に濾材を交換することができるとともに、複数の濾過ユニットを省スペース化した状態で濾過装置に搭載することができる。
【００１８】
また、本発明の濾過装置は、移動手段が、昇降装置によって持ち上げられない濾過ユニットを回動させるとともに、昇降装置によって持ち上げられる濾過ユニットをガイドする回動軸，及び，この回動軸と濾過ユニットを回動自在、かつ、上下方向移動自在に連結する回動アームを有する構成としてある。
このようにすると、交換する濾材が保持された保持板を濾過ユニットの積み重ねエリアから容易に移動させることができ、保守作業の作業効率を向上させることができる。
【００１９】
【発明の実施の形態】
以下、本発明の好適な実施形態を、図面にしたがって詳細に説明する。
【００２０】
［実施形態］
図１は、本発明の実施形態にかかる濾過装置の構成を説明するための概略正面図を示している。
また、図２は、本発明の実施形態にかかる濾過装置の構成を説明するための概略上面図を示している。
図１の本実施形態の濾過装置は水平型濾過機１としてあり、この水平型濾過機１は、上下方向に配設された濾過ユニット２，３と、この濾過ユニット２，３を支持するとともに上下方向及び／又は水平回動方向に移動させる移動手段５と、この移動手段５および昇降装置６の配設された架台７と、濾過ユニット２と濾過ユニット３の間に設けられた三方弁４４，４７及び接続配管４５とからなっている。
【００２１】
＜濾過ユニット＞
水平型濾過機１は、上方に配設された濾過ユニット２と下方に積み重ねるように配設された濾過ユニット３を備えている。
なお、本実施形態では、濾過ユニット２，３は、二段構造としてあるが、これに限定されるものではなく、三つ以上の濾過ユニットを積み重ね、Ｎ（Ｎは、二以上の自然数）段構造としてもよいことは勿論である。
【００２２】
各濾過ユニット２，３は、それぞれ流体を濾過する濾材２２，３２と、これら濾材２２，３２を内部に保持する濾材保持部材２０，３０とからなっている。
また、本実施形態では、濾材２２，３２として、気体及び／又は液体からなる流体を濾過する材料を円盤状に形成した濾材を使用してあるが、これに限定されるものではない。すなわち、濾材は、材質，形状，構造，用途などに関して特に限定されるものではない。さらに、濾材２２，３２は、物理的に異物を濾過する構成に限定されるものではなく、たとえば、イオン交換樹脂や静電気を除去する除電装置などのように、化学的又は電気的作用を利用したものであってもよい。
【００２３】
また、濾材ユニット２，３は、板状の濾材２２，３２を用いた水平濾板型濾過器を対象とする構成としてあるが、これに限定されるものではなく、たとえば、葉状濾過器やカートリッジ式濾過器を対象とする構成としてあり、このようにすることにより、一般的に用いられるこれら濾過器に対応することができる。
【００２４】
濾材保持部材２０，３０は、各濾材２２，３２を載置した状態で保持する円盤状の保持板２１，３１と、円環状のフランジ，円筒部材及び天板からなるカバー２３，３３とからなっている（図３参照）。
保持板２１，３１とカバー２３，３３の材質は、通常、耐腐食性に優れるステンレスなどの金属が使用されるが、これに限定されるものではなく、たとえば、樹脂などを使用してもよい。
【００２５】
濾材保持部材２０，３０は、内部流体が外部に漏れたり、あるいは、外部流体が内部に浸入しないように、図３に示すパッキン２６，３６などのシール部材でシールされるとともに、保持板２１，３１とカバー２３，３３は、ボルト２４，３４およびナット２５，３５からなる固定手段によって連結される。
【００２６】
また、保持板２１とカバー３３は、連接部２７によって連結してある。
なお、シール部材および固定手段は、上記構成に限定されるものではなく、たとえば、固定手段として、図示してないが、鉤状のストッパを取り付けた回動及び直線運動を行うシリンダなどを用いて自動化してもよい。
【００２７】
カバー２３，３３の天板には、それぞれ導入口（図示せず）と接続され、先端にフランジなどの接続部材を備えた配管からなる流体入口４１，４６と、濾材保持部材２０，３０の内部空気を排気する、先端にフランジなどの連結部材を備えた配管からなる排気口４２，４８を配設してある。
なお、流体入口４１，４６および排気口４２，４８は、上記構造に限定されるものではなく、たとえば、カップラなどの接続部材をカバー２３，３３に直接取り付けてもよい。
【００２８】
保持板２１の下面には、濾材２２によって濾過された流体を排出する排出口（図示せず）から排出配管が突設されており、この排出配管の先端には、上記流体の流路を切り替える三方弁４３が取り付けられており、三方弁４３の残り二つのポートには、上記流体を外部に排出する排気口４２と同様の構造の流体出口４４と、上記流体を濾材保持部材３０に注入する接続配管４５が設けられている。
【００２９】
また、接続配管４５の先端には、三方弁４７が接続されており、三方弁４７の残り二つのポートには、外部から濾過ユニット３で濾過する流体を注入するための流体入口４１及び、三方弁４７とカバー３３とを接続する配管が設けられている。
さらに、保持板３１の下面には、濾材３３によって濾過された流体を排出する流体出口４９が設けられている。
【００３０】
＜架台＞
架台７は、濾過ユニット２，３の両側に対向して配設された支柱７１，７２と、これら支柱７１，７２の上面に掛けられた梁７３とによって門型に形成されている。
なお、支柱７１，７２は、コンクリートなどからなる設置面に突設してある。また、支柱７１，７２は、図示してないが、底板などから突設した構造としてもよいことは勿論である。
【００３１】
＜移動手段＞
移動手段５は、回動軸５１と、支柱７１の上部，中部及び下部の三箇所に配設された回動軸５１を支持する支持部５２と、一方の端部に回動軸５１が貫通し、かつ、他方の端部が連接部２７および保持板３１とそれぞれ連結された回動アーム５３，５４とからなっている。
【００３２】
また、回動アーム５４の濾過ユニット３側の端部を、保持板３１の下面中央部と連結し、かつ、この端部の下部に車輪５５を設けた構造とするとよく、このようにすると、濾過ユニット２，３の重量を車輪５５が受けるため、この分、架台７に作用する荷重を低減することができるとともに、保持板３１を回動させるときも、車輪５５によって滑らかに回動させることができる。
【００３３】
＜昇降装置＞
昇降装置６は、架台７の梁７３のほぼ中央部に設けられたシリンダーとしてあり、このシリンダーのロッド先端は、最上段の濾過ユニット２のカバー２３と連結してある。
また、この昇降装置６は、最下段の濾過ユニット３の濾材３３とカバー３３を除く濾過ユニット２，３を上方に持ち上げることができる。
【００３４】
次に、上記構成の水平型濾過機１が、濾材２２を交換する手順について、図面を参照して説明する。
図４は、本発明の本実施形態にかかる濾過装置の、上部濾過ユニットのカバーを持ち上げた状態を説明するための概略正面図を示している。
また、図５は、本発明の本実施形態にかかる濾過装置の、上部濾過ユニットのカバーを回動させた状態を説明するための概略上面図を示している。
【００３５】
図４において、水平型濾過機１は、濾過ユニット２の濾材２２を交換するとき、まず、濾材保持部材２４の保持板２１とカバー２３を固定していたボルト２４およびナット２５が取り外され、次に、カバー２３が、昇降装置６によって濾材２２の上面より上方まで持ち上げられる。
なお、濾過ユニット２は、流体の種類に応じて、濾材保持部材２０内部の流体を排出してから、ボルト２４およびナット２５が取り外される。
【００３６】
次に、水平型濾過機１は、図５に示すように、保持板２１が水平方向に回動され、濾過ユニット２，３を積み重ねていたエリアの外に移動する。
これにより、使用済みの濾材２２を上方に取り外すことができるとともに、これから使用する濾材２２を同じく上方から取り付けることができるので、濾材２２の交換作業の効率を向上させることができる。
なお、このとき、保持板２１は、連接部２７，カバー３３，ボルト３４及びナット３５を介して、保持板３１と連結されているので、保持板２１を回動させると保持板３１も回動する。
【００３７】
そして、新たに使用する濾材２２が取り付けられた保持板２１は、上記手順を戻るように、濾過ユニット２，３を積み重ねていたエリア内に移動され、カバー２３が降ろされる。続いて、作業者は、カバー２３と保持板２１をボルト２４およびナット２５で固定する。
【００３８】
次に、上記構成の水平型濾過機１が、濾材３２を交換する手順について、図面を参照して説明する。
図６は、本発明の本実施形態にかかる濾過装置の、下部濾過ユニットのカバーを持ち上げた状態を説明するための概略正面図を示している。
また、図７は、本発明の本実施形態にかかる濾過装置の、下部濾過ユニットのカバーを回動させた状態を説明するための概略正面図を示している。
【００３９】
図６において、水平型濾過機１は、濾過ユニット３の濾材３２を交換するとき、まず、濾材保持部材３４の保持板３１とカバー３３を固定していたボルト３４およびナット３５が取り外され、次に、カバー２３が、昇降装置６によって上方に持ち上げられる。
このとき、カバー２３は、ボルト２４，ナット２５，保持板２１及び連接部２７を介して、カバー３３と連結されているので、カバー２３を持ち上げるとカバー３３も上方に持ち上げられ、カバー３３は、濾材３２の上面より上方まで上方に持ち上げられる。
【００４０】
次に、水平型濾過機１は、図７に示すように、保持板３１が水平方向に回動され、濾過ユニット２，３を積み重ねていたエリアの外に移動する。これにより、使用済みの濾材３２を上方に取り外すことができるとともに、これから使用する濾材３２を同じく上方から取り付けることができるので、濾材３２の交換作業の効率を向上させることができる。
【００４１】
そして、濾材３２が取り付けられた保持板３１は、上記手順を戻るように、濾過ユニット２，３を積み重ねていたエリア内に移動され、カバー３３が降ろされる。続いて、作業者は、カバー３３と保持板３１をボルト３４およびナット３５で固定する。
【００４２】
次に、濾材２２，３３の組合せ及び処理量に応じた水平型濾過機１の動作について、図面を参照して説明する。
【００４３】
（二段階の濾過処理を行う場合）
図８は、本発明の本実施形態にかかる濾過装置が二段階の濾過処理を行う状態を説明するための概略流路図を示している。
同図において、水平型濾過機１は、濾過ユニット２に、流体を濾過する一次用濾材（図示せず）が取り付けられ、かつ、濾過ユニット３に、一次用濾材によって濾過された流体を濾過する二次用濾材（図示せず）が取り付けられ、さらに、三方弁４３は、一次濾過された流体を接続配管４５に流すとともに、三方弁４７は、接続配管４５から流れてくる流体を濾過ユニット３に流す構成としてある。
【００４４】
上記構成とすることにより、水平型濾過機１は、濾過ユニット２の流体入口４１から供給された流体に対して、まず、濾過ユニット２で一次濾過を行い、続いて、濾過ユニット３で二次濾過を行ってから、濾過ユニット３の流体出口４９から排出することができる（同図の矢印参照）。
すなわち、たとえば、流体中に大きさの異なる異物が混入しており、これら異物を濾過する場合には、一次用濾材として、大きな異物を濾過する濾材２２を使用し、二次用濾材として、小さな異物を濾過する濾材３２を使用することにより、濾材２２，３２の寿命を延ばすことができ、濾材２２，３３の使用量を削減することができる。
【００４５】
（独立した濾過処理を行う場合）
図９は、本発明の本実施形態にかかる濾過装置が独立した濾過処理を行う状態を説明するための概略流路図を示している。
同図において、水平型濾過機１は、濾過ユニット２に、流体入口４１から供給される流体Ａを濾過する濾材（図示せず）が取り付けられ、かつ、濾過ユニット３に、流体入口４６から供給される流体Ｂを濾過する濾材（図示せず）が取り付けられ、さらに、三方弁４３は、濾過ユニット２によって濾過された流体を流体出口４４から外部に排出するとともに、三方弁４７は、流体入口４６から供給される流体Ｂを濾過ユニット３に流す構成としてある。
【００４６】
上記構成とすることにより、水平型濾過機１は、濾過ユニット２の流体入口４１から供給された流体Ａに対して、濾過ユニット２で濾過を行い、濾過された流体Ａを流体出口４４から外部に排出することができる（同図の矢印参照）。
また、水平型濾過機１は、上記流体Ａの濾過を行いながら、流体Ａの濾過処理から独立した濾過処理として、濾過ユニット３の流体入口４６から供給された流体Ｂに対して、濾過ユニット３で濾過を行い、濾過された流体Ｂを流体出口４９から外部に排出することができる。
【００４７】
なお、流体Ａ，Ｂを濾過する濾材２２，３２が同じ濾材を使用する場合であっても、水平型濾過機１は、流体Ａ，Ｂが混入しないように独立した状態で濾過処理を行うことができることは勿論である。
【００４８】
（濾過面積を調節して濾過処理を行う場合）
図１０は、本発明の本実施形態にかかる濾過装置が１００％の濾過面積で濾過処理を行う状態を説明するための概略流路図を示している。
また、図１１は、本発明の本実施形態にかかる濾過装置が５０％の濾過面積で濾過処理を行う状態を説明するための概略流路図を示している。
【００４９】
図１０において、水平型濾過機１は、同一の流体供給源から開状態の仕切り弁８１，８２を介して濾過ユニット２，３に流体が供給され、かつ、濾過ユニット２，３には同一の濾材が使用され、各濾過ユニット２，３で濾過された流体は、各流体出口４４，４９から排出された後、開状態の仕切り弁８３，８４を介して合流した状態で流れる構成としてある（同図の矢印参照）。
なお、弁４３は、濾過ユニット２によって濾過された流体を流体出口４４から排出するとともに、三方弁４７は、流体入口４６から供給される流体を濾過ユニット３に供給している。
【００５０】
上記構成とすることにより、水平型濾過機１は、濾過ユニット２，３の濾材２２，３２の濾過面積１００％を使用して濾過することができる。
すなわち、この状態で濾過することのできる流量が、水平型濾過機１の最大処理量となる。
【００５１】
これに対し、水平型濾過機１は、処理すべき流量が上記最大処理量の半分以下のとき、図１１に示すように、仕切り弁８２，８４を閉じて濾過処理を行う構成としてある（同図の矢印参照）。
このようにすることにより、濾材２２の処理能力に応じた流量を濾過することができるとともに、濾過ユニット３の濾材３２を使用しない状態とすることができ、濾材２２を交換する際には、仕切り弁８２，８４を開いて、仕切り弁８１，８３を閉じることにより、流体の流れを止めなくても濾材２２を交換することができる。
【００５２】
すなわち、水平型濾過機１は、濾過処理すべき流量が変動し、一方の濾過ユニット２又は３では濾過できない場合に、仕切り弁８１、８２，８３，８４をすべて開くことにより、濾材２２，３２の両方を使用した最大処理能力を発揮できるとともに、濾材２２又は３２の一方を予備用濾材とすることができる。
【００５３】
また、水平型濾過機１は、最大処理量を濾材２２，３２の二つで濾過するため、最大処理量を一つの濾材で濾過できる大きな濾材を用いる必要がなく、さらに、濾材保持部材２０，３０は、上記大きな濾材を収納する濾材保持部材より小型化されるので、高圧の流体を濾過する場合であっても、薄い板厚を使用した濾材保持部材２０，３０とすることができるので、製造コストのコストダウンを図ることができる。
【００５４】
上述したように、本実施形態の水平型濾過機１によれば、一台の水平型濾過機１で、一次濾過（前濾過）及び二次濾過（仕上げ濾過）を行ったり、異なる二種類の流体を同時に濾過したり、濾過する流体の処理量の変動に対応して濾過を行うことができ、多目的用途に対応しうる多機能化を実現することができる。
【００５５】
また、複数の濾過ユニットを積み重ねて配設し、移動手段および昇降装置を架台に設けることにより、濾過ユニットの設置面積を省スペース化するとともに、各濾過ユニットの濾材を交換するための作業スペースをも省スペース化することができる。
さらに、濾材を濾過ユニットが積み重ねられたエリアから移動させて、濾材を交換することができるので、濾材の交換を容易に行うことができる。
【００５６】
以上、本発明の濾過装置について、好ましい実施形態を示して説明したが、本発明に係る濾過装置は、上述した実施形態にのみ限定されるものではなく、本発明の範囲で種々の変更実施が可能であることは言うまでもない。
例えば、上記水平型濾過機は、濾過ユニットを垂直方向に積み重ねた構成としてあるが、これに限定されるものではなく、たとえば、水平方向に積み重ねた構成としてもよい。
【００５７】
また、上記水平型濾過機は、回動アームをギヤモータなどの駆動手段を用いて回動させる構成としたり、濾過ユニット間を接続する配管に設けられる切替弁を、三方弁以外の多方弁としたり、あるいは、濾材を濾材保持部材のカバーに保持する構成としてもよい。なお、これら駆動手段や多方弁は、手動制御する場合に限定されるものではなく、自動制御する構成としてもよい。
【００５８】
【発明の効果】
以上説明したように、本発明にかかる濾過装置によれば、一台の濾過装置内に複数の濾過ユニットを搭載することができ、すなわち、多目的・多機能型濾過装置とすることができるので、顧客は、一つの濾過ユニットを搭載した濾過装置を個々に準備する必要がなくなり、濾過装置の設備機器投資の合理化を図ることができる。
【００５９】
また、本発明の濾過装置によれば、複数の濾過ユニットを設置する設置面積及び濾材を交換するための交換作業の作業スペースを省スペース化することができる。
さらに、本発明の濾過装置によれば、交換する濾材を濾過ユニットの積み重ねられたエリアから移動させた状態で交換することができるので、運転・保守作業の作業効率を向上させることができる。
【図面の簡単な説明】
【図１】図１は、本発明の実施形態にかかる濾過装置の構成を説明するための概略正面図を示している。
【図２】図２は、本発明の実施形態にかかる濾過装置の構成を説明するための概略上面図を示している。
【図３】図３は、本発明の実施形態にかかる濾過装置の濾材保持部材の要部の構造を説明するための概略断面図を示している。
【図４】図４は、本発明の本実施形態にかかる濾過装置の、上部濾過ユニットのカバーを持ち上げた状態を説明するための概略正面図を示している。
【図５】図５は、本発明の本実施形態にかかる濾過装置の、上部濾過ユニットのカバーを回動させた状態を説明するための概略上面図を示している。
【図６】図６は、本発明の本実施形態にかかる濾過装置の、下部濾過ユニットのカバーを持ち上げた状態を説明するための概略正面図を示している。
【図７】図７は、本発明の本実施形態にかかる濾過装置の、下部濾過ユニットのカバーを回動させた状態を説明するための概略上面図を示している。
【図８】図８は、本発明の本実施形態にかかる濾過装置が二段階の濾過処理を行う状態を説明するための概略流路図を示している。
【図９】図９は、本発明の本実施形態にかかる濾過装置が独立した濾過処理を行う状態を説明するための概略流路図を示している。
【図１０】図１０は、本発明の本実施形態にかかる濾過装置が１００％の濾過面積で濾過処理を行う状態を説明するための概略流路図を示している。
【図１１】図１１は、本発明の本実施形態にかかる濾過装置が５０％の濾過面積で濾過処理を行う状態を説明するための概略流路図を示している。
【符号の説明】
１　水平型濾過機
２　濾過ユニット
３　濾過ユニット
５　移動手段
６　昇降装置
７　架台
２１，３１　保持板
２２，３２　濾材
２３，３３　カバー
２４，３４　ボルト
２５，３５　ナット
２６，３６　パッキン
２７　連接部
４１，４６　流体入口
４２，４８　排気口
４３，４７　三方弁
４４，４９　流体出口
４５　接続配管
５１　回動軸
５２　支持部
５３，５４　回動アーム
５５　車輪
７１，７２　支柱
７３　梁
８１，８２，８３，８４　仕切り弁
【図１】
2004050073.tif 000003
【図２】
2004050073.tif 000004
【図３】
2004050073.tif 000005
【図４】
2004050073.tif 000006
【図５】
2004050073.tif 000007
【図６】
2004050073.tif 000008
【図７】
2004050073.tif 000009
【図８】
2004050073.tif 000010
【図９】
2004050073.tif 000011
【図１０】
2004050073.tif 000012
【図１１】
2004050073.tif 000013